(57)【要約】【課題】データベースのメモリ容量および経路情報の配信処理時間を低減すること。【解決手段】ＶＲＦ毎のツリー構造の経路情報をＮＰドライバ部２６で作成し、このＶＲＦ毎の経路情報をデータベース２７に登録するとともに、作成したＶＲＦ毎の経路情報のうち所定のＶＲＦの経路情報を、当該ＶＲＦに属するＮＰ部２８〜３０にのみ送信し、他のＶＲＦに属するＮＰ部には送信を行わないで、ＮＰ部２８〜３０が、自装置が属するＶＲＦの経路情報のみを経路情報テーブル３１〜３３に格納させる。【選択図】        図２
2005217933.tif 000002
【特許請求の範囲】
【請求項１】
コネクション型通信の経路交換プロトコルを用いてそれぞれ異なるデータ中継装置とコネクションを張って、経路情報の交換を行い、前記交換した経路情報を、情報転送手段によるデータ転送が可能なようにデータベースに登録する経路情報登録方法において、
予め設定されたネットワークによって構築される特定ユーザの経路情報の交換を行い、かつ前記経路情報から各ネットワークに属する経路情報を生成する経路情報生成工程と、
前記生成された経路情報をデータベースに登録する登録工程と、
前記ネットワークに関する情報と、前記情報転送手段に関する情報とを関連付けて記憶手段に記憶する記憶する記憶工程と、
前記記憶された関連付けの情報に基づいて、前記ネットワークに属する経路情報を、当該ネットワークに属する特定ユーザが接続された前記情報転送手段に分配する分配工程と、
前記情報転送手段が前記ネットワークに属する経路情報を格納手段に格納する格納工程と、
を含むことを特徴とする経路情報登録方法。
【請求項２】
前記登録工程では、前記経路情報を所定ビットで分け、該分けた経路情報の間に前記ネットワークの情報を挿入することで、ネットワークに属する経路情報を前記データベースに格納することを特徴とする請求項１に記載の経路情報登録方法。
【請求項３】
前記分配工程では、インターフェースの設定変更に応じて、当該設定変更にかかるネットワークに属する経路情報を、当該ネットワークに属する特定ユーザが接続された前記情報転送手段に分配することを特徴とする請求項１に記載の経路情報登録方法。
【請求項４】
前記ネットワークは、ＶＰＮによって設定されるネットワークであることを特徴とする請求項１〜３のいずれか一つに記載の経路情報登録方法。
【請求項５】
コネクション型通信の経路交換プロトコルを用いてそれぞれ異なるデータ中継装置とコネクションを張って、予め設定されたネットワークによって構築される特定ユーザの経路情報の交換を行い、かつ前記経路情報から各ネットワークに属する経路情報を生成する経路交換手段と、
前記生成された経路情報の情報処理を行う情報処理手段と、
前記処理された経路情報を登録するデータベースと、
前記経路情報に基づいて、データの転送処理を行う情報転送手段を備え、
前記情報処理手段は、
前記ネットワークの情報と前記情報転送手段の情報とを関連付けて記憶する記憶手段と、
前記記憶手段に記憶された関連付けの情報に基づいて、前記ネットワークに属する経路情報を、当該ネットワークに属する特定ユーザが接続された前記情報転送手段に分配する分配手段と、
前記情報転送手段は、前記ネットワークに属する経路情報を格納する格納手段を、
有することを特徴とするデータ中継装置。
【請求項６】
前記情報処理手段は、前記経路情報を所定ビットで分け、該分けた経路情報の間に前記ネットワークの情報を挿入することで、ネットワークに属する経路情報を前記データベースに格納することを特徴とする請求項５に記載のデータ中継装置。
【請求項７】
前記分配手段は、インターフェースの設定変更に応じて、当該設定変更にかかるネットワークに属する経路情報を、当該ネットワークに属する特定ユーザが接続された前記情報転送手段に分配することを特徴とする請求項５に記載のデータ中継装置。
【請求項８】
前記ネットワークは、ＶＰＮによって設定されるネットワークであることを特徴とする請求項５〜７のいずれか一つに記載のデータ中継装置。
【発明の詳細な説明】
【技術分野】
【０００１】
本発明は、ＩＰ（Ｉｎｔｅｒｎｅｔ  Ｐｒｏｔｏｃｏｌ）バックボーンネットワークにおいて、ＶＰＮ（Ｖｉｒｔｕａｌ  Ｐｒｉｖａｔｅ  Ｎｅｔｗｏｒｋ：仮想私設通信網）を構築し、このＶＰＮを経由して経路情報の登録およびデータ中継を行う経路情報登録方法およびデータ中継装置に関するものである。
【背景技術】
【０００２】
従来のデータ中継方法では、たとえばＩＳＰ（Ｉｎｔｅｒｎｅｔ  Ｓｅｒｖｉｃｅ  Ｐｒｏｖｉｄｅｒ：インターネットサービス事業者）が共有のＩＰバックボーンネットワークを利用してＶＰＮサービスを行うＩＰ−ＶＰＮがある。このデータ中継方法では、各ユーザ用の経路情報を交換する制御処理を、ルーティングの制御機能として冗長性を確保することができるコネクション型通信（Ｃｏｎｎｅｃｔｉｏｎ−Ｏｒｉｅｎｔｅｄ）の経路交換プロトコル、たとえばＢＧＰ（Ｂｏｒｄｅｒ  Ｇａｔｅｗａｙ  Ｐｒｏｔｏｃｏｌ：ＲＦＣ１７７１）などのプロトコルを利用して行うものがあった。
【０００３】
このようなデータ中継方法としては、たとえばＩＰ−ＶＰＮバックボーンネットワーク上に設けられたＰＥ（プロバイダエッジ）ルータなどのメトロエッジルータに、ＣＥ（カスタマエッジ）ルータを介して特定ユーザの同一ＶＰＮに属する端末が接続されているシステムに用いることがある。この中のＰＥルータは、同一ＶＰＮに属するそれぞれのルータがメッシュを組んで経路情報の交換を行っている。ここで交換された経路情報は、ルーティングテーブルに格納され、このＰＥルータは、この経路情報に基づいて最適経路を選択していた。
【０００４】
【非特許文献１】Ｈｏｒｍｕｚｄ  Ｋｈｏｓｒａｖｉ  ａｎｄ  Ｒａｎｄｙ  Ｗｏｒｚｅｌｌａ著  「ＩＰｖ４  Ｕｎｉｃａｓｔ  Ｆｏｒｗａｒｄｉｎｇ  Ｓｅｒｖｉｃｅ  ＡＰＩ  Ｉｍｐｌｅｍｅｎｔａｔｉｏｎ  Ａｇｒｅｅｍｅｎｔ」  著作権Ｔｈｅ  Ｎｅｔｗｏｒｋ  Ｐｒｏｃｅｓｓｉｎｇ  Ｆｏｒｕｍ（ＮＰＦ）［ｏｎｌｉｎｅ］、２００３年４月２９日改訂版  ［平成１６年１月２６日検索］、インターネット〈ＵＲＬ：http://www.npforum.org/techinfo/Ipv4_IA.pdf〉
【発明の開示】
【発明が解決しようとする課題】
【０００５】
しかしながら近年、ＩＰ（Ｉｎｔｅｒｎｅｔ  Ｐｒｏｔｏｃｏｌ）網の普及によるイントラネット構築の大規模化に伴って、総経路数や送信ルータ数が増加する傾向にある。このため、ＮＰ（ネットワーク  プロセッサ：フォワーディング処理部）で管理すべきデータ量および処理量が増加しており、上記従来例では、データベースのメモリ量が増加するという問題点があった。また、ＣＰ（コントロール  ポイント：ルーティング処理部）では、ネットワーク内の全経路情報をコピーして下位のＮＰ全てに送信する機能が必要となるので、実装が複雑となり、オーバーヘッドの大きい処理となるので、経路情報の配信処理時間が増加するという問題点があった。
【０００６】
本発明は、上記問題に鑑みてなされたものであって、データベースのメモリ容量および経路情報の配信処理時間を低減することができる経路情報登録方法およびデータ中継装置を提供することを目的とする。
【課題を解決するための手段】
【０００７】
上述した課題を解決し、目的を達成するために、本発明にかかる経路情報登録方法は、コネクション型通信の経路交換プロトコルを用いてそれぞれ異なるデータ中継装置とコネクションを張って、経路情報の交換を行い、前記交換した経路情報を、情報転送手段によるデータ転送が可能なようにデータベースに登録する経路情報登録方法において、予め設定されたネットワークによって構築される特定ユーザの経路情報の交換を行い、かつ前記経路情報から各ネットワークに属する経路情報を生成する経路情報生成工程と、前記生成された経路情報をデータベースに登録する登録工程と、前記ネットワークに関する情報と、前記情報転送手段に関する情報とを関連付けて記憶手段に記憶する記憶する記憶工程と、前記記憶された関連付けの情報に基づいて、前記ネットワークに属する経路情報を、当該ネットワークに属する特定ユーザが接続された前記情報転送手段に分配する分配工程と、前記情報転送手段が前記ネットワークに属する経路情報を格納手段に格納する格納工程と、を含むことを特徴とする。
【０００８】
また、請求項２の発明にかかる経路情報登録方法は、上記発明において、前記登録工程では、前記経路情報を所定ビットで分け、該分けた経路情報の間に前記ネットワークの情報を挿入することで、ネットワークに属する経路情報を前記データベースに格納することを特徴とする。
【０００９】
また、請求項３の発明にかかる経路情報登録方法は、上記発明において、前記分配工程では、インターフェースの設定変更に応じて、当該設定変更にかかるネットワークに属する経路情報を、当該ネットワークに属する特定ユーザが接続された前記情報転送手段に分配することを特徴とする。
【００１０】
また、請求項４の発明にかかる経路情報登録方法は、上記発明において、前記ネットワークは、ＶＰＮによって設定されるネットワークであることを特徴とする。
【００１１】
また、請求項５の発明にかかるデータ中継装置は、コネクション型通信の経路交換プロトコルを用いてそれぞれ異なるデータ中継装置とコネクションを張って、予め設定されたネットワークによって構築される特定ユーザの経路情報の交換を行い、かつ前記経路情報から各ネットワークに属する経路情報を生成する経路交換手段と、前記生成された経路情報の情報処理を行う情報処理手段と、前記処理された経路情報を登録するデータベースと、前記経路情報に基づいて、データの転送処理を行う情報転送手段を備え、前記情報処理手段は、前記ネットワークの情報と前記情報転送手段の情報とを関連付けて記憶する記憶手段と、前記記憶手段に記憶された関連付けの情報に基づいて、前記ネットワークに属する経路情報を、当該ネットワークに属する特定ユーザが接続された前記情報転送手段に分配する分配手段と、前記情報転送手段は、前記ネットワークに属する経路情報を格納する格納手段を、有することを特徴とする。
【００１２】
また、請求項６の発明にかかるデータ中継装置は、上記発明において、前記情報処理手段は、前記経路情報を所定ビットで分け、該分けた経路情報の間に前記ネットワークの情報を挿入することで、ネットワークに属する経路情報を前記データベースに格納することを特徴とする。
【００１３】
また、請求項７の発明にかかるデータ中継装置は、上記発明において、前記分配手段は、インターフェースの設定変更に応じて、当該設定変更にかかるネットワークに属する経路情報を、当該ネットワークに属する特定ユーザが接続された前記情報転送手段に分配することを特徴とする。
【００１４】
また、請求項８の発明にかかるデータ中継装置は、上記発明において、前記ネットワークは、ＶＰＮによって設定されるネットワークであることを特徴とする。
【発明の効果】
【００１５】
本発明にかかる経路情報登録方法は、ネットワーク（ＶＰＮ）に関する情報と、ＶＰＮに属する情報転送手段の情報を関連付けるとともに、この関連付けの情報に基づいて、ＶＰＮに属する経路情報のみを、当該ＶＰＮに属する情報転送手段に分配して登録させるので、データベースのメモリ容量および経路情報の配信処理時間を低減することができるという効果を奏する。
【００１６】
本発明にかかるデータ中継装置は、記憶手段にＶＰＮに関する情報と、ＶＰＮに属する情報転送手段の情報を関連付けて記憶し、分配手段から前記ＶＰＮに属する経路情報のみを、当該ＶＰＮに属する情報転送手段に分配して記憶させるので、データベースのメモリ容量および経路情報の配信処理時間を低減することができるという効果を奏する。
【発明を実施するための最良の形態】
【００１７】
以下に、本発明にかかる経路情報登録方法およびデータ中継装置の実施の形態を図１〜図１０の図面に基づいて詳細に説明する。なお、本発明は、これらの実施の形態に限定されるものではなく、本発明の要旨を逸脱しない範囲で種々の変更実施の形態が可能である。
【００１８】
（実施の形態１）
図１は、本発明にかかるデータ中継装置を用いたデータ中継システムの構成を示す構成図である。図において、この実施の形態のデータ中継システムは、ＩＰ−ＶＰＮのバックボーンネットワーク１に本発明にかかるＰＥルータ２，３を接続させて構成されている。
【００１９】
本発明にかかるデータ中継装置としてのＰＥルータ２，３には、ＡＳ（Ａｕｔｏｎｏｍｏｕｓ  Ｓｙｓｔｅｍ）である特定ユーザのネットワーク、この実施の形態では、たとえば各社サイト（Ａ社、Ｂ社のサイト）のＬＡＮが接続されている。すなわち、ＰＥルータ２には、Ａ社のＬＡＮ４とＢ社のＬＡＮ５とが接続され、ＰＥルータ３には、Ａ社のＬＡＮ６とＢ社のＬＡＮ７とが接続されている。各社サイトは、ＶＰＮで一般の公衆網を利用してＶＲＦ（ＶＰＮ  Ｒｏｕｔｉｎｇ  Ｆｏｒｗａｒｄｉｎｇ）によるネットワークが構築されている。
【００２０】
これらＰＥルータ２，３は、同一の構成からなっているので、ここでは代表してＰＥルータ２の構成を、図２の構成図に基づいて説明する。ＰＥルータは、プロトコル処理などの情報処理を行うＣＰと、たとえば下位に接続されたＬＡＮと上位のバックボーンネットワーク間のデータ転送（中継）を行うＮＰからなる。
【００２１】
ＣＰは、ＢＧＰのプロトコル処理を行う経路情報交換手段としてのＢＧＰデーモン部２０と、ネットワーク内の他のルータと伝送路を介して接続されるインターフェース（以下、「Ｉ／Ｆ」という）回路２１と、Ｉ／Ｆ回路２１の設定処理を行うインターフェースデーモン部２２と、交換した経路情報を登録するデーモン部のデータベース２３と、マルチタスク機能を有するＯＳ（オペレーティング  システム）の中核部分であるカーネル部２４と、デーモン部からの経路情報を登録するカーネル部２４のデータベース２５とを備える。
【００２２】
このＣＰにおいて、ＢＧＰデーモン部２０は、ＢＧＰプロトコルを用いてバックボーンネットワーク１内の他のルータ、たとえば同じＶＲＦに属するルータと経路情報の交換を行なっており、交換した経路情報に基づいて、新たに経路情報を生成してデータベース２３に登録している。インターフェースデーモン部２２は、Ｉ／Ｆ回路２１の設定変更、たとえばＮＰが搭載されるボードの挿入や取り外しによるＩ／Ｆ回路の追加や削除、あるいはＩ／Ｆ回路に設定されているＶＲＦの変更などの状態を検出し、この検出結果に応じた設定変更を行う。なお、これらの設定変更は、インターフェース変更通知としてＮＰドライバ部２６に通知される。また、データベース２３は、図３に示すように、自ルータの属するＶＲＦのＩＤ（識別子、たとえばＶＲＦ０、ＶＲＦ１、ＶＲＦ２）毎にツリー構造の経路情報を分けて登録している。
【００２３】
カーネル部２４は、ＯＳの中核であり、ＮＰを制御するためのマネージャである。カーネル部２４は、デーモン部から変更された経路情報が入力されると、この経路情報に基づき、カーネル部内のデータベース２５の再構築を行って、経路情報の登録や削除を行い、かつ経路情報の変更通知をＮＰドライバ部２６に対して行う。また、データベース２５は、デーモン部のデータベースと同様に図４に示すように、自ルータの属するＶＲＦのＩＤ毎にツリーを分けて経路情報を登録している。なお、各データベース間の経路情報の交換では、ＶＲＦのＩＤとＩＰアドレス（すなわち、宛先とネクストホップのＩＰアドレス）の交換が行われる。
【００２４】
ＮＰドライバ部２６は、後述するＮＰの各ＮＰ部を動作管理するとともに、カーネル部２４から入力する経路情報を分配する分配手段としての機能を有する。このＮＰドライバ部２６には、カーネル部２４のデータベース２５からの経路情報を、各ＶＲＦに対応させて登録するとともに、ＶＲＦと当該ＶＲＦに属するＮＰとを関連付けて記憶する記憶手段としてのデータベース２７が接続されている。
【００２５】
ＮＰドライバ部２６は、情報処理手段としての機能を有し、カーネル部２４から入力する経路情報に基づいて、ＶＰＮに属する新たな経路情報を生成してデータベース２７に登録している。データベース２７に登録される経路情報は、図５に示すように、たとえばＶＲＦのＩＤを含むＩＰアドレスで構成されている。つまり、たとえば３２ビットのＩＰアドレスは、１６ビットの上段と下段に分けられ、その間にＶＲＦのＩＤが挿入されて構成されており、このアドレスは、ＶＲＦのＩＤ毎にツリーを分けて、データベース２７に登録されている。また、データベース２７には、図６に示すように、ＶＲＦのＩＤとＮＰの関連付けのデータも格納されて、各ＮＰがどのＶＲＦに属するかを、たとえばフラグを立てて設定している。図６中では、♯０〜♯１５のＮＰが、０〜１０のＶＲＦのいずれに属するかを関連付けている。
【００２６】
また、ＮＰドライバ部２６は、図７の構成図に示すように、ＶＲＦのＩＤと宛先のＩＰアドレスの変更と関連付けに基づいて、データベース２７の経路情報を生成するデータベース作成部２６ａと、ＶＲＦのＩＤとインターフェースの設定とによって、経路情報を送るＮＰを判断する送信ＮＰ判断部２６ｂと、ガイドフレームを作成するガイドフレーム作成部２６ｃと、作成されたガイドフレームを前記判断したＮＰに送信するフレーム送信部２６ｄとを備える。
【００２７】
また、ＮＰは、自ルータに設定されたＶＲＦ毎にデータ転送を行う情報転送手段としての複数のＮＰ部２８〜３０と、各ＮＰ部２８〜３０に接続されて、この接続されたＮＰから入力するＶＲＦ毎の経路情報を格納する格納手段としての経路情報テーブル３１〜３３とを備えている。
【００２８】
次に、ＮＰドライバ部２６による動作を図８、図９のフローチャートに基づいて説明する。まず、初めにＮＰドライバ部２６による経路情報の登録動作を図８のフローチャートに基づいて説明する。
【００２９】
ここで、経路情報の全体の流れとしては、ＢＧＰデーモン部２０から通知された経路情報（ＶＲＦのＩＤと宛先ＩＰアドレス（ネクストホップ）を、カーネル部２４が取り込んで、ＮＰドライバ部２６に経路情報変更通知として通知する。図８において、データベース作成部２６ａは、カーネル部２４から経路情報の変更通知があったかどうか判断しており（ステップ１０１）、この経路情報の変更通知を取り込むと、受けた経路情報のうち、ＶＲＦのＩＤと宛先のＩＰアドレスから、データベース２７内のツリーに変更を加えて関連付けを行うことで、データベースを作成する（ステップ１０２）。
【００３０】
次に、送信ＮＰ判断部２６ｂは、インターフェースデーモン部２２からのインターフェース設定変更通知とデータベース２７を確認して、必要なＮＰを判断する（ステップ１０３）。そして、この判断結果に基づき、ガイドフレームの作成を指示するコマンドを作成し、ガイドフレーム作成部２６ｃに出力する（ステップ１０４）。
【００３１】
ガイドフレーム作成部２６ｃでは、このコマンドが入力すると、コマンドに応じてツリー構造の経路情報の変更を示すガイドフレームを作成し（ステップ１０５）、この作成したガイドフレームを、ステップ１０３で判断した必要なＮＰ部（ＮＰ部２８〜３０のうちのいずれかのＮＰ部）にイーサネット（登録商標）を介して送信する（ステップ１０６）。これにより、作成したＶＲＦ毎のガイドフレームを必要なＮＰ部２８〜３０に送信して、該当する経路情報テーブル３１〜３３への登録を可能にする。
【００３２】
なお、このガイドフレームは、図１０のフレーム構成図に示すように、１つのフレームヘッダと、いくつかのガイドコマンドとから構成され、このフレームヘッダには、フレームの制御情報が格納され、ガイドコマンドには、検索ツリーへの追加を示すインサートリーフ（Ｉｎｓｅｒｔ  Ｌｅａｆ）のコマンドと、検索ツリーへ追加されるＶＲＦごとの経路情報が格納されるインサートリーフフォーマット（Ｉｎｓｅｒｔ  Ｌｅａｆ  Ｆｏｒｍａｔ）と、エンドデリミターフォーマット（ｅｎｄ  Ｄｅｌｉｍｉｔｅｒ  Ｆｏｒｍａｔ）と、フレームの最後を示すエンドデリミター（ｅｎｄ  Ｄｅｌｉｍｉｔｅｒ）が格納されている。なお、コマンドとしては、この他に検索ツリーから経路情報を削除するデリートリーフ（Ｄｅｌｅｔｅ  Ｌｅａｆ）などがある。また、コマンドが複数の場合には、ガイドコマンド部分が複数になる。
【００３３】
次に、インターフェース設定の追加の動作を図９のフローチャートに基づいて説明する。このインターフェース設定の追加の場合には、ＮＰドライバ部２６のデータベース２７は、既に作成されているので、インターフェースデーモン部２２からのインターフェース設定変更通知が入力すると（ステップ２０１）、送信ＮＰ判断部２６ｂがインターフェースの設定とデータベース２７を確認して、必要なＮＰを判断する（ステップ２０２）。そして、この判断結果に基づき、ガイドフレームの作成を指示するコマンドを作成し、ガイドフレーム作成部２６ｃに出力する（ステップ２０３）。
【００３４】
ガイドフレーム作成部２６ｃは、このコマンドが入力すると、コマンドに応じてツリー構造の経路情報の変更を示すガイドフレームを作成し（ステップ２０４）、この作成したガイドフレームを、ステップ２０２で判断した必要なＮＰ部（インターフェースの設定変更の場合には、変更部分に関わるＮＰ部）に送信する（ステップ２０５）。これにより、作成したＶＲＦ毎のガイドフレームを必要なＮＰ部２８〜３０に送信して、該当する経路情報テーブル３１〜３３への登録を可能にする。
【００３５】
次に、装置の起動、ＮＰ部が搭載されたボードの抜き差し（ＮＰの追加または削除）の動作について説明する。ここで、装置が起動すると、インターフェースデーモン部２２でボードの抜き差しが検出され、装置としての設定の再構築が行われ、インターフェースの登録、経路情報の取得などが行われる。
【００３６】
ＮＰドライバ部２６では、図８と同様に、経路情報変更通知がなされ、データベース２７への経路情報の登録が終了した後に、インターフェースの設定確認をして、必要なＮＰ部を判断して、作成したＶＲＦ毎のガイドフレームを必要なＮＰ部２８〜３０に送信して、該当する経路情報テーブル３１〜３３への登録を可能にする。
【００３７】
このように、この実施の形態では、各ＶＲＦ毎の経路情報をＮＰドライバ部で作成し、このＶＲＦ毎の経路情報を当該ＶＲＦに属するＮＰ部にのみ送信して経路情報テーブルに格納するので、従来の全ての経路情報を各ＮＰ部に送信する場合に較べて、高速で、かつ低メモリ量の経路情報テーブルを用いることが可能となり、このためデータベースのメモリ容量および経路情報の配信処理時間を低減することができる。
【００３８】
なお、この発明では、インターフェースの設定やコンソールからの設定などに対する経路情報の登録動作は、たとえば同時に発生する場合を想定して、優先順位を設定することが可能である。
【００３９】
また、この発明の経路情報登録方法は、たとえばＶＰＮが設定されていない場合にも用いることが可能である。この場合には、たとえばＶＲＦのＩＤは「０」に設定され、インターネットルートもＶＰＮの一つとして扱い、ＶＰＮが設定されたネットワークなどと区別される。これによって、分配手段としてのＮＰドライバ部を用いて経路情報を分配することが可能となり、データベースのメモリ容量および経路情報の配信処理時間を、さらに低減することが可能となる。
【図面の簡単な説明】
【００４０】
【図１】本発明にかかるデータ中継装置を用いたデータ中継システムの構成を示す構成図である。
【図２】図１に示したＰＥルータの経路情報登録機能の構成を示す構成図である。
【図３】図２に示したＢＧＰデーモン部のデータベースのデータ構成を示す構成図である。
【図４】図２に示したカーネル部のデータベースのデータ構成を示す構成図である。
【図５】図２に示したＮＰドライバ部のデータベースのアドレスのデータ構成を示す構成図である。
【図６】同じく、ＮＰドライバ部のデータベースのＶＲＦ  ＩＤとＮＰの関連付けのデータ構成を示す構成図である。
【図７】図２に示したＮＰドライバ部の構成を示す構成図である。
【図８】ＮＰドライバ部の経路情報登録動作を説明するためのフローチャートである。
【図９】ＮＰドライバ部のインターフェースの変更動作を説明するためのフローチャートである。
【図１０】ガイドフレームのフレーム構成を示す構成図である。
【符号の説明】
【００４１】
１  バックボーンネットワーク
２，３  ルータ
４〜７  ＬＡＮ
２０  ＢＧＰデーモン部
２１  インターフェース回路（Ｉ／Ｆ回路）
２２  インターフェースデーモン部
２３，２５，２７  データベース
２４  カーネル部
２６  ＮＰドライバ部
２６ａ  データベース作成部
２６ｂ  送信ＮＰ判断部
２６ｃ  ガイドフレーム作成部
２６ｄ  フレーム送信部
２８〜３０  ＮＰ部
３１〜３３  経路情報テーブル
４０  コンソール
【図１】
2005217933.tif 000003
【図２】
2005217933.tif 000004
【図３】
2005217933.tif 000005
【図４】
2005217933.tif 000006
【図５】
2005217933.tif 000007
【図６】
2005217933.tif 000008
【図７】
2005217933.tif 000009
【図８】
2005217933.tif 000010
【図９】
2005217933.tif 000011
【図１０】
2005217933.tif 000012